(57)【特許請求の範囲】
【請求項１】
表示手段に複数の表示アイテムを表示するマルチ表示を行うように制御する表示制御手段と、
前記複数の表示アイテムの中から選択する表示アイテムを現在選択している表示アイテムから他の表示アイテムに切り換える切換操作を受け付ける複数の操作手段と、
前記複数の操作手段のうち、第１の操作手段に対する切替操作が行われた場合は、前記第１の操作手段に対する該切換操作が継続している間は選択された表示アイテムを拡大することなく選択する表示アイテムを切り換え、前記第１の操作手段に対する該切換操作が解除されてから所定時間が経過すると、前記マルチ表示において、選択されている表示アイテムを他の表示アイテムに比べて拡大するように制御し、前記複数の操作手段のうち、第２の操作手段に対する切替操作が行われた場合は、前記第２の操作手段に対する該切換操作が継続している間は選択された表示アイテムを拡大することなく選択する表示アイテムを切り換え、前記第２の操作手段に対する該切換操作が解除されたことに応じて、該解除から前記所定時間が経過する前に、前記マルチ表示において、選択されている表示アイテムを他の表示アイテムに比べて拡大するように制御する制御手段とを有することを特徴とする表示処理装置。
【請求項２】
前記表示アイテムは、画像であることを特徴とする請求項１に記載の表示処理装置。
【請求項３】
前記第１の操作部材は、回転入力部材であることを特徴とする請求項１または２に記載の表示処理装置。
【請求項４】
前記第２の操作手段は、押しボタンであることを特徴とする請求項１乃至３の何れか１項に記載の表示処理装置。
【請求項５】
前記制御手段は、前記操作手段に対する前記切換操作の開始に応じて、前記マルチ表示において選択される表示アイテムの他の表示アイテムに対しての拡大を解除するように制御することを特徴とする請求項１乃至４の何れか１項に記載の表示処理装置。
【請求項６】
前記表示制御手段は、前記マルチ表示において選択されている表示アイテムに対して選択されていることを示す選択枠を表示するように制御することを特徴とする請求項１乃至５の何れか１項に記載の表示処理装置。
【請求項７】
表示手段に複数の表示アイテムを表示するマルチ表示を行うように制御する表示制御ステップと、
前記複数の表示アイテムの中から選択する表示アイテムを現在選択している表示アイテムから他の表示アイテムに切り換える切り替え操作を受付可能な複数の操作手段のいずれかに対する切換操作を受け付ける受付ステップと、
前記複数の操作手段のうち、第１の操作手段に対する切替操作が行われた場合は、前記第１の操作手段に対する該切換操作が継続している間は選択された表示アイテムを拡大することなく選択する表示アイテムを切り換え、前記第１の操作手段に対する該切換操作が解除されてから所定時間が経過すると、前記マルチ表示において、選択されている表示アイテムを他の表示アイテムに比べて拡大するように制御し、前記複数の操作手段のうち、第２の操作手段に対する切替操作が行われた場合は、前記第２の操作手段に対する該切換操作が継続している間は選択された表示アイテムを拡大することなく選択する表示アイテムを切り換え、前記第２の操作手段に対する該切換操作が解除されたことに応じて、該解除から前記所定時間が経過する前に、前記マルチ表示において、選択されている表示アイテムを他の表示アイテムに比べて拡大するように制御する制御ステップとを有することを特徴とする表示処理装置の制御方法。
【請求項８】
コンピュータを、請求項１乃至６の何れか１項に記載された表示処理装置の各手段として機能させるプログラム。
【請求項９】
コンピュータを、請求項１乃至６の何れか１項に記載された表示処理装置の各手段として機能させるプログラムを格納したコンピュータ読み取り可能な記憶媒体。
【発明の詳細な説明】
【技術分野】
【０００１】
本発明は、操作ボタン等の操作手段によって選択された画像に対する効果処理を行うための技術に関するものである。
【背景技術】
【０００２】
従来、固体メモリ素子を有するメモリカードを記録媒体として、静止画像や動画像を記録再生する電子カメラ等の画像処理装置は既に市販されており、カラー液晶パネル等の電子ファインダを備える電子カメラも販売されている。
【０００３】
これらの電子カメラによれば、撮影前の画像を連続して表示して電子カメラの使用者が構図を決定することや、撮影した画像を再生表示して確認することが可能である。さらに、再生の際に画像の切り替わり時に効果をかける機種もある。効果は単調な再生にアクセントをつけ、鑑賞性を高める効果がある。
【先行技術文献】
【特許文献】
【０００４】
【特許文献１】特開２００４−２２８７３１号公報
【発明の概要】
【発明が解決しようとする課題】
【０００５】
しかしながら、効果を絶えず実行していたのでは快適な操作感を損なう虞があり、画像送りに用いられる画像効果は、鑑賞性を高める反面、操作に対するレスポンスの悪さが懸念される場合がある。
【０００６】
そこで本発明の目的は、鑑賞性を保つ一方で必要に応じて快適な操作感を与えることを可能とすることにある。
【課題を解決するための手段】
【０００７】
本発明の表示処理装置は、表示手段に複数の表示アイテムを表示するマルチ表示を行うように制御する表示制御手段と、前記複数の表示アイテムの中から選択する表示アイテムを現在選択している表示アイテムから他の表示アイテムに切り換える切換操作を受け付ける複数の操作手段と、前記複数の操作手段のうち、第１の操作手段に対する切替操作が行われた場合は、前記第１の操作手段に対する該切換操作が継続している間は選択された表示アイテムを拡大することなく選択する表示アイテムを切り換え、前記第１の操作手段に対する該切換操作が解除されてから所定時間が経過すると、前記マルチ表示において、選択されている表示アイテムを他の表示アイテムに比べて拡大するように制御し、前記複数の操作手段のうち、第２の操作手段に対する切替操作が行われた場合は、前記第２の操作手段に対する該切換操作が継続している間は選択された表示アイテムを拡大することなく選択する表示アイテムを切り換え、前記第２の操作手段に対する該切換操作が解除されたことに応じて、該解除から前記所定時間が経過する前に、前記マルチ表示において、選択されている表示アイテムを他の表示アイテムに比べて拡大するように制御する制御手段とを有することを特徴とする。
【発明の効果】
【０００８】
本発明によれば、操作手段による操作によって選択された画像データに対する効果処理を、操作手段に対する操作内容に応じて切り換えるように構成したので、例えばユーザがすばやく目的の画像データを検索したいような場合になされる操作が行われた場合、選択された画像データに対する効果処理を実行しない等、効果処理を切り換えることができる。従って、操作方法によってすばやく目的の画像データを検索することが可能となり、鑑賞性を保つ一方で必要に応じて快適な操作感を与えることが可能となる。
【図面の簡単な説明】
【０００９】
【図１】本発明の第１乃至第４の実施形態に係る電子カメラの内部構成を示す図である。
【図２】本発明の第１乃至第４の実施形態に係る電子カメラの操作部材を示す図である。
【図３】本発明の第１の実施形態に係る電子カメラの動作を示すフローチャートである。
【図４】本発明の第２の実施形態に係る電子カメラの動作を示すフローチャートである。
【図５】本発明の第３の実施形態に係る電子カメラの動作を示すフローチャートである。
【図６】効果処理の設定画面の一例を示す図である。
【図７】画像送り効果の一例を示す図である。
【図８】画像送り効果の一例を示す図である。
【図９】画像送り効果の一例を示す図である。
【図１０】本発明の第４の実施形態に係る電子カメラの動作を示すフローチャートである。
【図１１】効果処理の設定画面の一例を示す図である。
【図１２】スライドショー効果の一例を示す図である。
【発明を実施するための形態】
【００１０】
以下、本発明を適用した好適な実施形態を、添付図面を参照しながら詳細に説明する。
【００１１】
−第１の実施形態−
先ず、本発明の第１の実施形態について説明する。図１は、本発明の第１の実施形態に係る電子カメラの内部構成を示す図である。図１において、１００は画像処理装置である。１０は撮影レンズ、１２は絞り機能を備えるシャッタ、１４は光学像を電気信号に変換する撮像素子、１６は撮像素子１４のアナログ信号出力をディジタル信号に変換するＡ／Ｄ変換器である。
【００１２】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１３】
２０は画像処理回路であり、Ａ／Ｄ変換器１６からのデータ或いはメモリ制御回路２２からのデータに対して所定の画素補間処理や色変換処理を行う。
【００１４】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００１５】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１６】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１７】
２４は画像表示メモリ、２６はＤ／Ａ変換器、２８はＴＦＴ ＬＣＤ等から成る画像表示部であり、画像表示メモリ２４に書き込まれた表示用の画像データはＤ／Ａ変換器２６を介して画像表示部２８により表示される。
【００１８】
画像表示部２８を用いて撮像した画像データを逐次表示すれば、電子ファインダ機能を実現することが可能である。
【００１９】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００２０】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。
【００２１】
また、メモリ３０はシステム制御回路５０の作業領域としても使用することが可能である。３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２２】
４０は絞り機能を備えるシャッタ１２を制御する露光制御手段であり、フラッシュ４８と連携することによりフラッシュ調光機能も有するものである。４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００２３】
４８はフラッシュであり、ＡＦ補助光の投光機能、フラッシュ調光機能も有する。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２４】
５０は画像処理装置１００全体を制御するシステム制御回路、５２はシステム制御回路５０の動作用の定数、変数、プログラム等を記憶するメモリである。
【００２５】
５４はシステム制御回路５０でのプログラムの実行に応じて、文字、画像、音声等を用いて動作状態やメッセージ等を表示する液晶表示装置、スピーカ等の表示部であり、画像処理装置１００の操作部近辺の視認し易い位置に単数或いは複数個所設置され、例えばＬＣＤやＬＥＤ、発音素子等の組み合わせにより構成されている。
【００２６】
また、表示部５４は、その一部の機能が光学ファインダ１０４内に設置されている。表示部５４の表示内容のうち、ＬＣＤ等に表示するものとしては、シングルショット／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示、等がある。
【００２７】
また、表示部５４の表示内容のうち、光学ファインダ１０４内に表示するものとしては、合焦表示、手振れ警告表示、フラッシュ充電表示、シャッタスピード表示、絞り値表示、露出補正表示、等がある。
【００２８】
５６は電気的に消去・記録可能な不揮発性メモリであり、例えばＥＥＰＲＯＭ等が用いられる。本実施形態では、図６に示す表示画面より選択された画像送り効果の情報が記録される。
【００２９】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３０】
ここで、これらの操作手段の具体的な説明を行う。６０はモードダイアルスイッチで、電源オフ、自動撮影モード、撮影モード、パノラマ撮影モード、再生モード、マルチ画面再生・消去モード、PC接続モード等の各機能モードを切り替え設定することが出来る。
【００３１】
６２はシャッタスイッチＳＷ１で、不図示のシャッタボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３２】
６４はシャッタスイッチＳＷ２で、不図示のシャッタボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３３】
６６は画像表示ＯＮ／ＯＦＦスイッチで、画像表示部２８のＯＮ／ＯＦＦを設定することが出来る。この機能により、光学ファインダ１０４を用いて撮影を行う際に、ＴＦＴ ＬＣＤ等から成る画像表示部への電流供給を遮断することにより、省電力を図ることが可能となる。
【００３４】
６８はクイックレビューＯＮ／ＯＦＦスイッチで、撮影直後に撮影した画像データを自動再生するクイックレビュー機能を設定する。なお、本実施形態では特に、画像表示部２８をＯＦＦとした場合におけるクイックレビュー機能の設定をする機能を備えるものとする。
【００３５】
７０は各種ボタンやタッチパネル等からなる操作部で、メニューボタン、セットボタン、マクロボタン、マルチ画面再生改ページボタン、フラッシュ設定ボタン、単写／連写／セルフタイマ切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００３６】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３７】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプタ等からなる電源手段である。
【００３８】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００３９】
なお、本実施形態では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００４０】
インタフェース及びコネクタとしては、ＰＣＭＣＩＡカードやＣＦ（コンパクトフラッシュ（登録商標））カード等の規格に準拠したものを用いて構成して構わない。
【００４１】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００４２】
１０２は、画像処理装置１００のレンズ１０を含む撮像部を覆う事により、撮像部の汚れや破損を防止するバリアである保護手段である。
【００４３】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、露出補正表示などが設置されている。
【００４４】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００４５】
１１２は通信手段１１０により画像処理装置１００を他の機器と接続するコネクタ或いは無線通信の場合はアンテナである。２００はメモリカードやハードディスク等の記録媒体である。
【００４６】
記録媒体２００は、半導体メモリや磁気ディスク等から構成される記録部２０２、画像処理装置１００とのインタフェース２０４、画像処理装置１００と接続を行うコネクタ２０６を備えている。２１０はメモリカードやハードディスク等の記録媒体である。
【００４７】
記録媒体２１０は、半導体メモリや磁気ディスク等から構成される記録部２１２、画像処理装置１００とのインタフェース２１４、画像処理装置１００と接続を行うコネクタ２１６を備えている。
【００４８】
次に図２から図８を参照して、本実施形態の動作を説明する。
図２は本実施形態に係る電子カメラの操作部材を示す図である。電源ボタン２０１は電子カメラの起動と終了に用いる。メニューボタン２０２は撮影条件の変更や日付の設定、画像のプロテクトや削除といったメニューへ入る時に使用するボタンである。また、各種設定モードを終了する場合にも使う。決定ボタン２０３は選択項目の決定に用いる。表示ボタン２０４は画像に関する撮影情報の表示・非表示または電子ビューファインダの表示・非表示を切り替える。
【００４９】
左ボタン２０５は選択項目を左に移動する場合や画像送りに用いる。右ボタン２０６は選択項目を右に移動する場合や画像送りに用いる。右ボタン２０６および左ボタン２０５を本実施形態では画像の送りボタンとして用いている。
【００５０】
上ボタン２０７は選択項目を上に移動する場合に用いる。下ボタン２０８は選択項目を下に移動する場合に用いる。シャッタボタン２０９は撮影モードで撮影する時に利用するボタンである。ズームボタン２１０はズームレンズを駆動させるボタンであり左右に振ることで撮影対象の画角を変えることができる。モード切り替えスイッチ２１１は録画モードと再生モードを切り替える。液晶画面２１２は画像を確認しながら撮影する場合に用いる。また撮影した画像の確認にも液晶画面２１２は用いる。回転入力部材２１３は時計周り／半時計周りの向きと、移動量を検出することができる。入力された値を、撮影パラメータ等の変更や再生の画像送り等に利用することができる。
【００５１】
図３は、本発明の第１の実施形態に係る電子カメラの動作を示すフローチャートである。まず入力の有無を調べる（ステップＳ３０１）。入力がなかった場合は入力があるまで待つ。入力があった場合はそれが送りボタンだったかどうかを調べる（ステップＳ３０２）。送りボタンではない場合、それぞれのボタンにあった処理へ進む（ステップＳ３０３）。
【００５２】
送りボタンの場合、送りボタンの操作によって現在カレントとなっている画像に対する効果処理の実行中かどうかを調べ（ステップＳ３０４）、効果処理の実行中であれば効果処理を中断させる（ステップＳ３０５）。
【００５３】
続いて、後述するステップＳ３０９の先読み処理によって上記カレントとなっている画像の次の画像がバッファに読み込まれているかを判断する（ステップＳ３０６）。次の画像が既にバッファに読み込まれている場合には、入力がリピートであるかを判断し（ステップＳ３０７）、入力がリピートでない場合には送りボタンの操作によって次にカレントとなる画像に対して効果処理を行って表示する（ステップＳ３０８）。一方、入力がリピート、即ち送りボタンが長押しされた状態で送りボタンの入力が連続的になっているなっている場合には、送りボタンの操作によって次にカレントとなる画像に対する効果処理を行わずに表示する（ステップＳ３１１）。ステップＳ３０８、ステップＳ３１１の後は、次の送りボタンの操作に備えて、今回の送りボタンの操作によってカレントとなった画像の前後の画像をバッファに読み込む先読み処理を行う（ステップＳ３０９）。
【００５４】
また、ステップＳ３０６の判断によって、現在カレントとなっている画像の次の画像の先読み処理が完了していない場合には、未だ読み込んでいない現在カレントとなっている画像の次の画像を読み込む（ステップＳ３１０）。このように先読み処理が正常に行われていなかった場合には、操作性を重視して、今回の送りボタンの操作によって次にカレントとなる画像に対する効果処理は行われず、表示される（ステップＳ３１１）。
【００５５】
なお、本実施形態では、右ボタンにより次の画像表示が指示された場合と、左ボタンにより前の画像表示された場合で異なる効果を実行する。具体的には、図９（ｂ）に示すように、右ボタンが押された場合は、画面の右から次の画像が徐々に表示され、左ボタンが押された場合は、図９（ａ）に示すように、画面の左から前の画像が徐々に表示される。
【００５６】
図７は、本実施形態に適用される他の効果処理を説明するための図である。図７の７０１に示すように画像が表示されている状態で送りボタンが押されると、７０２のように効果処理を開始する。本例では少しずつ次の画像が現れる効果を例として挙げている。入力がリピートの場合、７０２の状態を介さずに７０１から７０３の画像へ直接移行し、効果処理を実行せずに画像を表示する。
【００５７】
以上のように本実施形態によれば、リピート入力を受け付けている期間は、その期間選択される画像について画像送り効果処理を実行しないように構成したので、ユーザはリピート入力によって目的の画像をすばやく検索することが可能となり、快適な操作感を享受することが可能となる。その一方でリピート入力以外の選択操作によっては画像送り効果処理が実行されるため、鑑賞性が保たれる。
【００５８】
−第２の実施形態−
次に、本発明の第２の実施形態について説明する。本実施形態に係る電子カメラの内部構成及び操作部材の構成は図１及び図２に示す構成と同様であるため、それらの説明は省略する。
【００５９】
図４は、本発明の第２の実施形態に係る電子カメラの動作を示すフローチャートである。まず入力の有無を調べる（ステップＳ４０１）。入力がなかった場合は入力があるまで待つ。入力があった場合はそれが送りボタンだったかどうかを調べる（ステップＳ４０２）。送りボタンの場合、効果処理の実行中かどうかを調べ（ステップＳ４０３）、効果処理の実行中であれば効果処理を中断させる（ステップＳ４０４）。その後、カレントの画像を示す枠を表示すべき画像が既に表示されているかどうか、即ち、カレントの画像を示す枠を表示すべき画像を含む複数画像の表示状態にあるかどうかを調べ（ステップＳ４０５）、複数画像の表示状態にない場合は、複数画像の表示を行う（ステップＳ４０６）。そして、複数画像のうち今回の操作によってカレントとなる画像に対し、カレントの画像を示す枠を表示する（ステップＳ４０７）。
【００６０】
一方、入力が送りボタンではなかった場合、送りボタンが離されたかどうかを調べる（ステップＳ４０８）。ここでは、送りボタンが押された状態から離されたかどうかが検出される。離されたままの状態の場合は、ここでいう送りボタンが離されたとは判断されない。画像送りボタンが離された場合は、効果処理を実行する（ステップＳ４１０）。それ以外のボタンの場合は、それぞれのボタンにあった処理へ進む（ステップＳ４０９）。
【００６１】
図８は、本発明の第２の実施形態に適用される画像送り効果処理を説明するための図である。画像が複数表示されている状態（８０１）で送りボタンが押されると、拡大効果（８０２）されているのを解除し、次の画像にフォーカスを移す（８０３）。送りボタンが押され続けている場合は、更に次の画像にフォーカスを移す（８０４）。そこでボタンが離されると、拡大効果を実行する（８０５）。
【００６２】
以上のように本実施形態によれば、送りボタンの操作の解除入力によってその時点で選択されている画像に対して画像送り効果処理を実行するように構成したので、送りボタンを操作している間は目的の画像をすばやく検索することが可能となり、ユーザは快適な操作感を享受することが可能となる。その一方で、送りボタンの操作の解除入力によって選択されている画像に対して画像送り効果処理が実行されるため、鑑賞性は保たれる。
【００６３】
−第３の実施形態−
次に本発明の第３の実施形態について説明する。本実施形態に係る電子カメラの内部構成及び操作部材の構成は図１及び図２に示す構成と同様であるため、それらの説明は省略する。
【００６４】
図５は本発明の第３の実施形態の動作を示すフローチャートである。まず入力の有無を調べる（ステップＳ５０１）。入力がなかった場合は入力があるまで待つ。入力があった場合はそれが送りボタンだったかどうかを調べる（ステップＳ５０２）。送りボタンではない場合、それぞれのボタンにあった処理へ進む（ステップＳ５０３）。入力が送りボタンだった場合、効果処理の実行中かどうかを調べ（ステップＳ５０４）、効果処理の実行中であれば効果を中断させる（ステップＳ５０５）。その後、カレントの画像を示す枠を表示すべき画像が既に表示されているかどうか、即ち、カレントの画像を示す枠を表示すべき画像を含む複数画像の表示状態にあるかどうかを調べ（ステップＳ５０６）、複数画像の表示状態にない場合は、複数画像の表示を行う（ステップＳ５０７）。そして、複数画像のうち今回の送りボタンの操作によってカレントとなる画像に対し、カレントの画像を示す枠を表示する（ステップＳ５０８）。その後、タイマをセットする。入力がなかった場合は、ステップＳ５０９の最後のタイマセットからタイマがＮ秒経過したかどうかを調べる（ステップＳ５１０）。Ｎ秒経過していない場合は、入力待ち状態に戻り、Ｎ秒経過していた場合は、効果処理を実行する（ステップＳ５１１）。このようにすることで本実施形態では、送りボタンの操作によって一旦カレントとなり枠が表示された画像は、その枠表示からＮ秒経過するまで何れの入力も受け付けない場合、図８の８０２や８０５に示すように拡大表示等の効果処理が施される。
【００６５】
図６は、本実施形態において用いられる効果処理の設定画面６０１の一例を示す図である。効果表示領域６０２では現在設定されている効果を概略的に示す。画像送り効果設定項目６０３では画像送りに関する設定が可能であり、左右で効果選択枠６０４を移動させることで画像送り効果処理のパターンを選択設定することができる。設定された情報は、図１の不揮発性メモリ５６に記録される。画像送り効果としては、図７に示されるように、少しずつ次の画像が現れる効果や、図９に示されるように、画面の右側あるいは左側から徐々に次の画像が表示される効果等の効果処理のパターンが設定可能である。
【００６６】
第２の実施形態として、送りボタンが離されてから効果処理の実行を開始する場合、第３の実施形態として、一定時間経過した後、効果処理の実行を開始する方法を挙げた。これらは、一つの電子カメラ上の操作部材の違いによって使い分けてもよい。例えば、操作部材２１３を使用した場合は一定時間経過した後、効果処理を開始し、左右ボタン２０５／２０６を使用した場合はこれらのボタンが離されてから効果処理の実行を開始するように構成してもよい。
【００６７】
なお、上記実施形態では、電子カメラの起動時及び撮影モードから再生モードへのモード切り換えが行われた場合は、ユーザによって画像送り効果が設定されていた場合でも、実行しないようにしている。電子カメラの起動及び再生処理の高速化を図るためである。
【００６８】
以上のように本実施形態によれば、画像が一旦選択された後、一定の期間何れの操作入力も受け付けない場合に、当該画像に対する画像送り効果処理が実行されるように構成したので、ユーザが何らかの操作入力を行っている期間は、目的の画像をすばやく検索する等、画像送り効果によるその操作に対するレスポンスの遅れを感じることなく快適な操作感を享受することができる。一方、一定期間操作を行わない場合には、画像送り効果処理が実行されるため、鑑賞性が保たれる。
【００６９】
−第４の実施形態−
次に本発明の第４の実施形態について説明する。本実施形態に係る電子カメラの内部構成及び操作部材の構成は図１及び図２示す構成と同様であるため、それらの説明は省略する。
【００７０】
図１０は、本発明の第４の実施形態に係る電子カメラの動作を示すフローチャートである。ステップＳ１００１では、後述するスライドショー効果処理の実行中に、ユーザからの入力があったかどうかを調べる。ステップＳ１００１で、ユーザからの入力がないと判断された場合は、ステップＳ１００２では、ステップＳ１００９による最後のタイマクリアからＮ秒経過したかどうかを調べる。Ｎは任意に設定できてもよいし、固定値でもよい。Ｎ秒経過していなければ入力待ち状態に戻る。
【００７１】
ステップＳ１００３では、ユーザによる入力が送りボタンによる入力であったかどうかを調べる。ステップＳ１００３で、送りボタンによる入力でないと判断された場合、ステップＳ１００４の他のボタン処理へ移る。
【００７２】
ステップＳ１００３で、送りボタンによる入力であると判断された場合は、ステップＳ１００５で、現在表示されている画像がスライドショー効果処理の最後の画像かどうかを調べる。ステップＳ１００５で、最後の画像であると判断された場合、入力待ち状態に戻り、以降の画像送り効果処理は実行しない。スライドショー効果処理の最後の画像である場合、終了してもよいが、本実施形態では送りボタンでは終了できないように処理している。
【００７３】
また、ステップＳ１００５で、最後の画像でないと判断された場合は、ステップＳ１００６では、効果を画像送り効果に設定する。ここで設定される情報は、後述する図１１の設定画面を用いて画像送り効果について設定された情報である。続いて、ステップＳ１００７では、スライドショー効果処理の実行中かどうかを調べ、スライドショー効果処理の実行中であればステップＳ１００８でスライドショー効果を中断させる。
【００７４】
続いて、ステップＳ１００９では、タイマをクリアし、再度経過時間のカウントを開始する。続くステップＳ１０１０では、送りボタンの操作によって次に表示すべき画像を読み込み、当該画像を１画像で画面上に表示させるための準備を行う（ステップＳ１０１１）。ステップＳ１０１２では、ステップＳ１０１１で表示準備を行った画像についてステップＳ１００６で設定された画像送り効果処理を実行する。効果処理の実行中はステップＳ１００１の入力待ち状態に戻る。
【００７５】
このように、スライドショー効果処理の実行中に送りボタンによる入力があった場合は、スライドショー効果を中止し、画像送り効果として設定された簡易的な効果を実行することで、鑑賞性を高めると共に快適な操作感を実現することが可能となる。スライドショー効果処理は予め設定された内容で行われ、且つ鑑賞性に主眼を置いた演出となっているため、ユーザが複数画像を閲覧する上ではその鑑賞性を楽しむことができる。しかしながら、鑑賞性をあまり重視せず、すばやく所望の画像を検索したいユーザにとっては、このようにスライドショー効果から画像送り効果に切り替えることによって操作性を担保することが可能となる。また送りボタンを操作しない間は画像送り効果より比較的鑑賞性に富んだスライドショー効果が行われ、高い鑑賞性を保つことができる。
【００７６】
ステップＳ１００２で、ステップＳ１００９のタイマクリアから何も入力されていない状態となってＮ秒が経過していると判断された場合は、ステップＳ１０１３では、スライドショー効果処理の最後の画像かどうかを調べる。スライドショー効果処理の最後の画像であれば、ステップＳ１０１４で効果をスライドショー効果に設定する。ここで設定される情報は、後述する図１１の設定画面を用いてスライドショー効果について設定された情報である。
【００７７】
続くステップＳ１０１５では、ステップＳ１０１４で設定されたスライドショー効果を実行する（ステップＳ１０１５）。このスライドショー効果処理は上述したように送りボタンが操作されるまで、又はスライドショー効果処理が終了するまで（ステップＳ１０１３／ＹＥＳ）実行される。
【００７８】
図１１は効果設定画面１１０１の一例を示す図である。効果表示領域１１０２では現在設定されている効果を概略的に示す。選択できる効果処理としては通常の画像送り効果１１０３とスライドショー用の効果１１０４を設定可能であり、上下ボタンでフォーカス枠１１０５を移動し、左右で効果選択枠１１０６を移動させることで効果パターンを選択することができる。本実施形態では、画像送りとスライドショーとの効果処理のパターンは、別々に用意されており、同じものは設定できない。
【００７９】
本実施形態において適用される画像送り効果は、図７に示すように、画像７０１が表示されている状態で送りボタンが押されると、７０２から７０３に示すように、次の画像が少しずつ現れる効果が実行される。他の画像送り効果の例としては、図９に示すように、画面の右側あるいは左から次の画像が徐々に表示されるものもある。
【００８０】
図１２は、本実施形態において適用されるスライドショー効果の一例を示す図である。このスライドショー効果は複数画像が順次自動的に表示されていく効果処理である。設定時間が経過するとスライドショー効果が開始される。具体的には、十字状の可視画像領域が画像の一部から徐々に全体に広がり（１２０１）、可視画像領域が全画像に至ると（１２０２）、徐々に可視画像領域が小さくなり（１２０３）、最後には画像が見えなくなる。このように今回表示されていた画像が見えなくなると、次の画像に対して同じように可視画像領域が画像の一部から徐々に画像全体に広がっていくといった処理が行われる（１２０５）。
【００８１】
また、表示される画像が切り換わる際に、次の画像と現在表示されている画像との撮影日付が異なる場合には、現在の画像から次の画像に切り換える際に、次の画像の撮影日付を表示する（１２０４）。
【００８２】
なお、本実施形態では、スライドショー効果実行中に送りボタンが押されると、スライドショー効果を中断して送り効果を実行するとしているが、スライドショー効果中断の際に送りボタン操作があった時点の画像を効果なしで全体を一旦表示してから次の画像の表示に移ってもよい。例えば、図１２の１２０１のように可視画像領域が全画像の範囲に広がっておらず、当該画像が未だ完全に見えないような状態のときに送りボタンが操作された場合には、１２０１の表示状態から１２０２の当該画像全体を表示した状態に切り換えて一旦全体画像を表示した後、その画像から図７や図９に示すような画像送り効果を開始する。
【００８３】
また本実施形態では、画像送りとスライドショーとの効果処理パターンは、夫々異なるものが用意されており、画像送りとスライドショー効果とで同じ効果処理パターンを設定することができないと説明したが、他の実施形態として、画像送りとスライドショー効果とで同じ効果処理パターンが設定できるように構成してもよい。
【００８４】
また、図７〜図９に示す画像送り効果は第１〜第４の実施形態全てに適用することができる。さらに上述した実施形態では、送りボタンの操作方法次第では、選択された画像全てについて効果処理を行い得るものを例示したが、これに限らず、欠陥のある画像に対しては予め画像送り効果の対象から外すように設定することも可能であり、この場合、送りボタンによって選択されても欠陥のある画像に対しては画像送り効果処理が実行されず、当該欠陥画像に関しては鑑賞性より快適な操作感に主眼を置いた処理を行うように構成することもできる。
【００８５】
なお、記録媒体２００及び２１０は、ＰＣＭＣＩＡカードやコンパクトフラッシュ（登録商標）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。
【００８６】
また、記録媒体２００及び２１０がメモリカードとハードディスク等が一体となった複合媒体であっても勿論問題無い。さらに、その複合媒体から一部が着脱可能な構成としても勿論問題無い。
【００８７】
そして、実施形態の説明に於いては、記録媒体２００及び２１０は画像処理装置１００と分離していて任意に接続可能なものとして説明したが、いずれか或いは全ての記録媒体が画像処理装置１００に固定したままとなっていても勿論問題無い。
【００８８】
また、画像処理装置１００に記録媒体２００或いは２１０が、単数或いは複数の任意の個数接続可能な構成であっても構わない。そして、画像処理装置１００に記録媒体２００及び２１０が装着する構成として説明したが、記録媒体は単数或いは複数の何れの組み合わせの構成であっても、勿論問題無い。
【００８９】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００９０】
この場合、記憶媒体から読み出されたプログラムコード自体が前述した実施形態の機能を実現することになり、プログラムコード自体及びそのプログラムコードを記憶した記憶媒体は本発明を構成することになる。
【００９１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００９２】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００９３】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【符号の説明】
【００９４】
２０１  電源ボタン、２０２  メニューボタン、２０３  決定ボタン、２０４  表示ボタン、２０５  左ボタン（送りボタン）、２０６  右ボタン（送りボタン）、２０７  上ボタン、２０８  下ボタン、２０９  シャッタボタン、２１０  ズームボタン、２１１  モード切り替えボタン、２１２  液晶画面
【図１】
0005484413.tif 000002
【図２】
0005484413.tif 000003
【図３】
0005484413.tif 000004
【図４】
0005484413.tif 000005
【図５】
0005484413.tif 000006
【図６】
0005484413.tif 000007
【図７】
0005484413.tif 000008
【図８】
0005484413.tif 000009
【図９】
0005484413.tif 000010
【図１０】
0005484413.tif 000011
【図１１】
0005484413.tif 000012
【図１２】
0005484413.tif 000013